(57)【要約】【課題】関係者における過度な負荷を回避しつつ、効率的で確実な代引き決済の手続を可能とする。【解決手段】キャッシュレス代引き決済システム１０において、代引き注文の注文主が保持するユーザ端末１００および当該代引き注文の対象商品の配送員が保持する配送員端末３００のそれぞれが、当該対象商品の配達場所にて所定装置４００から発信されている所定の無線信号を受信したことに伴い、各々保持する前記代引き注文に関する所定情報を銀行システム２０に送信し、銀行システム２０が、前記所定情報の示す事柄の真正性、前記所定情報の間の整合性、および、前記所定情報各々の送信時刻の間の近接性、に関する確認を所定アルゴリズムで行い、当該確認に成功した場合、当該代引き注文に関して前記注文主より予め預かっている決済用資金に基づいて所定の決済処理を実行する構成とする。【選択図】図１
2018206215.tif 000002
【特許請求の範囲】
【請求項１】
代引き注文の注文主が保持するユーザ端末および当該代引き注文の対象商品の配送員が保持する配送員端末のそれぞれが、当該対象商品の配達場所にて所定装置から発信されている所定の無線信号を受信したことに伴い、各々保持する前記代引き注文に関する所定情報を銀行システムに送信し、
前記銀行システムが、前記所定情報の示す事柄の真正性、前記所定情報の間の整合性、および、前記所定情報各々の送信時刻の間の近接性、に関する確認を所定アルゴリズムで行い、当該確認に成功した場合、当該代引き注文に関して前記注文主より予め預かっている決済用資金に基づいて所定の決済処理を実行する、
ことを特徴とするキャッシュレス代引き決済方法。
【請求項２】
前記ユーザ端末および前記配送員端末のそれぞれが、前記配送員の保持する装置または前記配送員端末のいずれかが発信する所定の無線信号を受信したことに伴い、各々保持する前記代引き注文に関する所定情報を銀行システムに送信する、
ことを特徴とする請求項１に記載のキャッシュレス代引き決済方法。
【請求項３】
前記銀行システムが、
前記確認に際し、前記所定情報各々に含まれる位置情報の間の近接性、に関する確認を更に行うことを特徴とする請求項１に記載のキャッシュレス代引き決済方法。
【請求項４】
前記銀行システムが、
前記注文主により前記代引き注文の決済用資金がＡＴＭにて入金されたことを受けて、当該入金の内容を示す決済情報を記憶装置に格納し、当該決済情報をコード化してＡＴＭにて画面表示させ、
前記注文主のユーザ端末が、
前記画面表示されている前記コードの読み取り処理を介して前記決済情報を取得し、当該決済情報に前記代引き注文の注文情報を紐づけて支払予約データとして記憶装置に格納し、当該支払予約データを前記代引き注文の発注先たる電子商取引システムに送信し、
前記電子商取引システムが、
前記代引き注文の受注に伴って既に保持している当該代引き注文の取引明細情報と、前記支払予約データにおける前記注文情報および前記決済情報とを照合し、所定項目の情報が互いに一致した場合、前記決済情報と前記注文情報との紐付けの妥当性を認定して、本電子商取引システムに関する識別情報を前記決済情報に紐付けて支払予約データとして前記銀行システムに送信し、
前記銀行システムが、
前記電子商取引システムから得た前記支払予約データの含む前記決済情報と、当該代引き注文に関して既に記憶装置にて保持している決済情報との照合処理、および、前記支払予約データの含む識別情報に基づく前記電子商取引システムに関する所定の認証処理、をそれぞれ実行し、前記照合処理および前記認証処理の結果が所定内容であった場合、前記代引き注文に関して必要な決済用資金が銀行側で確かに確保された旨を示す支払予約済通知を、前記電子商取引システムに送信し、
前記電子商取引システムが、
前記支払予約済通知を前記銀行システムから受信したことに応じて、当該代引き注文の対象商品の配送指示を、配送員端末に送信する、
ことを特徴とする請求項１に記載のキャッシュレス代引き決済方法。
【請求項５】
前記対象商品の返品を希望する前記注文主のユーザ端末および当該対象商品の引き取りに向かった配送員が保持する配送員端末のそれぞれが、当該対象商品の引き取り場所にて所定装置から発信されている所定の無線信号を受信したことに伴い、各々保持する代引き
注文に関する所定情報のうち前記対象商品に関するものを、支払キャンセルデータとして銀行システムに送信し、
前記銀行システムが、前記支払キャンセルデータの示す事柄の真正性、前記支払キャンセルデータの間の整合性、および、前記支払キャンセルデータ各々の送信時刻の間の近接性、に関する確認を所定アルゴリズムで行い、当該確認に成功した場合、当該対象商品の代引き注文に関して前記注文主より予め預かっている決済用資金に基づいて所定の返金処理を実行する、
ことを特徴とする請求項１に記載のキャッシュレス代引き決済方法。
【請求項６】
代引き注文の注文主が保持するユーザ端末、当該代引き注文の対象商品の配送員が保持する配送員端末、および、当該代引き注文の決済用資金を管理する銀行システム、を含むシステムであって、
前記ユーザ端末および前記配送員端末のそれぞれは、
当該対象商品の配達場所にて所定装置から発信されている所定の無線信号を受信したことに伴い、各々保持する前記代引き注文に関する所定情報を銀行システムに送信するものであり、
前記銀行システムは、前記所定情報の示す事柄の真正性、前記所定情報の間の整合性、および、前記所定情報各々の送信時刻の間の近接性、に関する確認を所定アルゴリズムで行い、当該確認に成功した場合、当該代引き注文に関して前記注文主より予め預かっている決済用資金に基づいて所定の決済処理を実行するものである、
ことを特徴とするキャッシュレス代引き決済システム。
【請求項７】
前記ユーザ端末および前記配送員端末のそれぞれは、前記配送員の保持する装置または前記配送員端末のいずれかが発信する所定の無線信号を受信したことに伴い、各々保持する前記代引き注文に関する所定情報を銀行システムに送信するものである、
ことを特徴とする請求項６に記載のキャッシュレス代引き決済システム。
【請求項８】
前記銀行システムは、
前記確認に際し、前記所定情報各々に含まれる位置情報の間の近接性、に関する確認を更に行うものであることを特徴とする請求項６に記載のキャッシュレス代引き決済システム。
【請求項９】
前記銀行システムは、
前記注文主により前記代引き注文の決済用資金がＡＴＭにて入金されたことを受けて、当該入金の内容を示す決済情報を記憶装置に格納し、当該決済情報をコード化してＡＴＭにて画面表示させるものであり、
前記注文主のユーザ端末は、
前記画面表示されている前記コードの読み取り処理を介して前記決済情報を取得し、当該決済情報に前記代引き注文の注文情報を紐づけて支払予約データとして記憶装置に格納し、当該支払予約データを前記代引き注文の発注先たる電子商取引システムに送信するものであり、
前記電子商取引システムは、
前記代引き注文の受注に伴って既に保持している当該代引き注文の取引明細情報と、前記支払予約データにおける前記注文情報および前記決済情報とを照合し、所定項目の情報が互いに一致した場合、前記決済情報と前記注文情報との紐付けの妥当性を認定して、本電子商取引システムに関する識別情報を前記決済情報に紐付けて支払予約データとして前記銀行システムに送信するものであり、
前記銀行システムは、
前記電子商取引システムから得た前記支払予約データの含む前記決済情報と、当該代引き注文に関して既に記憶装置にて保持している決済情報との照合処理、および、前記支払
予約データの含む識別情報に基づく前記電子商取引システムに関する所定の認証処理、をそれぞれ実行し、前記照合処理および前記認証処理の結果が所定内容であった場合、前記代引き注文に関して必要な決済用資金が銀行側で確かに確保された旨を示す支払予約済通知を、前記電子商取引システムに送信するものであり、
前記電子商取引システムは、
前記支払予約済通知を前記銀行システムから受信したことに応じて、当該代引き注文の対象商品の配送指示を、配送員端末に送信するものである、
ことを特徴とする請求項６に記載のキャッシュレス代引き決済システム。
【請求項１０】
前記対象商品の返品を希望する前記注文主のユーザ端末および当該対象商品の引き取りに向かった配送員が保持する配送員端末のそれぞれは、
当該対象商品の引き取り場所にて所定装置から発信されている所定の無線信号を受信したことに伴い、各々保持する代引き注文に関する所定情報のうち前記対象商品に関するものを、支払キャンセルデータとして銀行システムに送信するものであり、
前記銀行システムは、
前記支払キャンセルデータの示す事柄の真正性、前記支払キャンセルデータの間の整合性、および、前記支払キャンセルデータ各々の送信時刻の間の近接性、に関する確認を所定アルゴリズムで行い、当該確認に成功した場合、当該対象商品の代引き注文に関して前記注文主より予め預かっている決済用資金に基づいて所定の返金処理を実行するものである、
ことを特徴とする請求項６に記載のキャッシュレス代引き決済システム。
【発明の詳細な説明】
【技術分野】
【０００１】
本発明は、キャッシュレス代引き決済方法およびキャッシュレス代引き決済システムに関するものであり、具体的には、関係者における過度な負荷を回避しつつ、効率的で確実な代引き決済の手続を可能とする技術に関する。
【背景技術】
【０００２】
ネットショップにて商品を購入する商行為が広く一般化し、それに伴って様々な決済方法も提供されてきた。そうした決済方法の一つに現金代引き決済が存在する。商品の購入者からすれば、決済資金の手配を後回し出来る点や、実際の商品を受け取ってから支払を行う安心感があり、特に、クレジットカードのネット使用に不安を覚える層には強く支持されている。また海外では、届いた商品の質が悪い、或いは商品不着等の事例が発生しやすく、こうした状況は現金代引き決済が好まれる更なる理由となっている。
【０００３】
このような代引き決済に関連する従来技術としては、例えば、着払いもしくは代引き指定された配送荷物に関する情報を管理し、通信機能を有する配送業者のコンピュータと、マンション等に設置された、入力手段と表示手段とメモリとバーコード読み取り手段を備える宅配ボックスと、配送業者が郵便受け等に投函した配送業者名等と配送荷物に付されたコードをバーコードとして印刷した不在票と、店舗もしくは金融機関に備えられ金銭の決済機能及び通信機能を有する決済装置を備え、前記宅配ボックスは、配送業者により前記入力手段で配送先部屋番号と配送荷物に付されたコードを入力されたとき、該配送先部屋番号を前記表示手段に表示し、開錠条件として該配送荷物に付されたコードと代金の支払終了コードを前記メモリに設定し、施錠し、前記決済装置は、荷物受取人による前記不在票を用いた決済処理を受付けたとき、通信機能により前記配送業者のコンピュータとの間で決済処理を行い、配送荷物に付されたコードを示すバーコードと代金支払済みを示すバーコードを印刷したレシートを発行し、前記宅配ボックスは、前記レシートのバーコードを前記バーコード読み取り手段により読み取ったとき、その読み取り結果が前記メモリに設定された開錠条件と一致するとき開錠することを特徴とする宅配決済システム（特許文献１参照）などが提案されている。
【０００４】
また、インターネットでの通信販売システムを利用して商品を購入する利用者（１）が、インターネット通信販売センター（２）に個人情報を登録し、インターネット通信販売センター（２）は、登録された利用者（１）を認識するためのＩＤ番号とパスワードを発行し、利用者（１）は、インターネット通信販売センター（２）で発行したＩＤ番号とパスワードを使用してインターネット通信販売会社（３）で、商品を購入し、インターネット通信販売会社（３）は、利用者（１）のＩＤ番号と商品の金額明細、および、配送場所（５）の住所を商品に添付して、流通会社（４）に商品の配送を委託し、流通会社（４）は、商品を配送場所（５）に配送し、商品を利用者（１）にＩＤ番号の一致を確認して引渡し、利用者（１）は、商品の代金を支払い、流通会社（４）は、商品の代金をインターネット通信販売センター（２）に支払い、インターネット通信販売センター（２）は、商品の代金をインターネット通信販売会社（３）へ支払うシステム。で構成する。以上のことを特徴とする通信販売システム（特許文献２参照）なども提案されている。
【先行技術文献】
【特許文献】
【０００５】
【特許文献１】特開２００４−７８６３０号公報
【特許文献２】特開２００１−１９５４５４号公報
【発明の概要】
【発明が解決しようとする課題】
【０００６】
ところが、現金代引き決済にも課題が残されている。例えば、商品到着時すなわち決済手続時に、購入者が必要な現金を用意していないか、或いは、購入者側で現金の用意はされていたが配送員がお釣りを所持していなかった場合、いずれにしても、その場での決済を完了出来ない事態となる。また別の側面では、購入者から回収した現金の搬送、精査等、現金ハンドリングの小さくない負担が配送員側にかかるという問題もある。
【０００７】
なお、上述の現金代引き決済ではなく事前決済に関しても相応の課題が存在する。例えば購入者が、ネットショップからの請求内容に基づいて、インターネットバンキング（ＩＢ）にて代金振込を行う際、当該決済に無関係な口座を誤指定した場合であっても、そのまま振込は実行されてしまう問題がある。
そこで本発明の目的は、関係者における過度な負荷を回避しつつ、効率的で確実な代引き決済の手続を可能とする技術を提供することにある。
【課題を解決するための手段】
【０００８】
上記課題を解決する本発明のキャッシュレス代引き決済方法は、代引き注文の注文主が保持するユーザ端末および当該代引き注文の対象商品の配送員が保持する配送員端末のそれぞれが、当該対象商品の配達場所にて所定装置から発信されている所定の無線信号を受信したことに伴い、各々保持する前記代引き注文に関する所定情報を銀行システムに送信し、前記銀行システムが、前記所定情報の示す事柄の真正性、前記所定情報の間の整合性、および、前記所定情報各々の送信時刻の間の近接性、に関する確認を所定アルゴリズムで行い、当該確認に成功した場合、当該代引き注文に関して前記注文主より予め預かっている決済用資金に基づいて所定の決済処理を実行する、ことを特徴とする。
【０００９】
また、本発明のキャッシュレス代引き決済システムは、代引き注文の注文主が保持するユーザ端末、当該代引き注文の対象商品の配送員が保持する配送員端末、および、当該代引き注文の決済用資金を管理する銀行システム、を含むシステムであって、前記ユーザ端末および前記配送員端末のそれぞれは、当該対象商品の配達場所にて所定装置から発信されている所定の無線信号を受信したことに伴い、各々保持する前記代引き注文に関する所定情報を銀行システムに送信するものであり、前記銀行システムは、前記所定情報の示す事柄の真正性、前記所定情報の間の整合性、および、前記所定情報各々の送信時刻の間の近接性、に関する確認を所定アルゴリズムで行い、当該確認に成功した場合、当該代引き注文に関して前記注文主より予め預かっている決済用資金に基づいて所定の決済処理を実行するものである、ことを特徴とする。
【発明の効果】
【００１０】
本発明によれば、関係者における過度な負荷を回避しつつ、効率的で確実な代引き決済の手続が可能となる。
【図面の簡単な説明】
【００１１】
【図１】本実施形態のキャッシュレス代引き決済システムにおけるネットワーク構成図である。
【図２】本実施形態におけるユーザ端末のハードウェア構成例を示す図である。
【図３】本実施形態における配送員端末のハードウェア構成例を示す図である。
【図４】本実施形態の取引管理テーブルのデータ構成例を示す図である。
【図５】本実施形態の受取人マスタテーブルのデータ構成例を示す図である。
【図６】本実施形態の明細テーブルのデータ構成例を示す図である。
【図７】本実施形態におけるキャッシュレス代引き決済方法のフロー例１を示す図である。
【図８】本実施形態におけるキャッシュレス代引き決済方法のフロー例２を示す図である。
【図９】本実施形態におけるキャッシュレス代引き決済方法のフロー例３を示す図である。
【発明を実施するための形態】
【００１２】
−−−ネットワーク構成−−−
【００１３】
以下に本発明の実施形態について図面を用いて詳細に説明する。図１は、本実施形態のキャッシュレス代引き決済システム１０におけるネットワーク構成図である。図１に示すキャッシュレス代引き決済システム１０は、関係者における過度な負荷を回避しつつ、効率的で確実な代引き決済の手続を可能とするコンピュータシステムである。
【００１４】
本実施形態のキャッシュレス代引き決済システム１０は、オンラインショッピングに際して代引き注文を行う注文主のユーザ端末１００、当該注文主が代引き注文の決済用資金を投入するＡＴＭ２００、上述の代引き注文の対象商品を配送する配送員の配送員端末３００、上述のＡＴＭ２００を運営すると共に上述の決済用資金を管理する銀行の銀行システム４００、ビーコン端末５００、および、オンラインショッピングサービスを提供する電子商取引システム６００らで構成されている。
【００１５】
このうち、ユーザ端末１００と銀行システム４００および電子商取引システム６００との間、ＡＴＭ２００と銀行システム４００との間、配送員端末３００と銀行システム４００との間、電子商取引システム６００と銀行システム４００との間、のそれぞれはインターネットや専用回線など適宜なネットワーク１、２を介して、通信可能に接続された構成となっている。また、特に図示しないが、銀行システム４００は、インターネットなどの公衆回線網としてのネットワーク１に接続するためのＧＷサーバを含んでいる。その点、ＡＴＭ２００と銀行システム４００との間はセキュアな専用回線としてのネットワーク２で結ばれている。
【００１６】
上述のうち電子商取引システム６００は、オンラインショッピングサービスのための各種データを、ユーザ端末１００のアプリ１１０に配信し、また、当該ユーザ端末１００を操作する注文主による代引き注文等に関する各種指示をアプリ１１０を介して受け付けて処理することが可能である。一方、配送員端末３００は、ユーザ端末１００と同様にアプリ３１０を備え、各注文主によるオンラインショッピングサービスでの注文に関する各種情報を、当該アプリ３１０を介して電子商取引システム６００から取得し、表示させることが可能である。
【００１７】
また、ビーコン端末５００は、予め定めた所定の無線信号を一定時間毎に発信する端末であって、既存のものを適宜に採用すればよい。このビーコン端末５００が発信する無線信号は、ユーザ端末１００および配送員端末３００が受信可能なものである。
【００１８】
なお、ビーコン端末５００に代えて、設置場所が予め特定されている固定の無線局（設置場所と発信する無線信号が、キャッシュレス代引き決済システム１０や銀行システム４００、電子商取引システム６００など適宜なシステムから認証済みの装置）、を採用するとしてもよい。この固定の無線局は、例えば注文主の居宅敷地内に設置されたものを想定出来る。また、ビーコン端末５００に代えて、無線信号の発信機能を備えた配送員端末３００を想定するとしてもよい。いずれの機器を採用するとしても、無線信号の種類は問わない。
−−−ハードウェア構成−−−
【００１９】
また、図２のハードウェア構成例に示すように、キャッシュレス代引き決済システム１０を構成するユーザ端末１００は、ＳＳＤ（Ｓｏｌｉｄ  Ｓｔａｔｅ  Ｄｒｉｖｅ）やハードディスクドライブなど適宜な不揮発性記憶素子で構成される記憶装置１０１、ＲＡＭなど揮発性記憶素子で構成されるメモリ１０３、記憶装置１０１に保持されるプログラム１０２をメモリ１０３に読み出すなどして実行し装置自体の統括制御を行なうとともに各種判定、演算及び制御処理を行なうＣＰＵなどの演算装置１０４、ユーザからの入力動作を受け付けると共に処理結果を表示するタッチパネル等の入出力装置１０５、ネットワーク１と接続し他の装置との通信処理を担う通信装置１０６、および、ＧＰＳユニット１０７を備える。
【００２０】
なお、記憶装置１０１内には、本実施形態のキャッシュレス代引き決済システム１０におけるユーザ端末１００として必要な機能を実装する為のプログラム１０２に加えて、電子商取引システムによるオンラインショッピングサービスを利用するためのアプリ１１０が少なくとも記憶されている。なお、このユーザ端末１００にて代引き注文に関する処理が行われるに伴い、後述する、支払予約データ１２５や支払請求データ１２６が適宜に記憶装置１０１に格納されることとなる（こうした処理等の詳細は後述）。
【００２１】
また、上述の通信装置１０６は、ネットワークインターフェイスと、ビーコン端末５００の無線信号を受信するための近接無線通信用のユニットとを含むものとする。
【００２２】
一方、図３にて例示するように、本実施形態のキャッシュレス代引き決済システム１０を構成する配送員端末３００は、ＳＳＤ（Ｓｏｌｉｄ  Ｓｔａｔｅ  Ｄｒｉｖｅ）やハードディスクドライブなど適宜な不揮発性記憶素子で構成される記憶装置３０１、ＲＡＭなど揮発性記憶素子で構成されるメモリ３０３、記憶装置３０１に保持されるプログラム３０２をメモリ３０３に読み出すなどして実行し装置自体の統括制御を行なうとともに各種判定、演算及び制御処理を行なうＣＰＵなどの演算装置３０４、ユーザからの入力動作を受け付けると共に処理結果を表示するタッチパネル等の入出力装置３０５、ネットワーク１と接続し他の装置との通信処理を担う通信装置３０６、および、ＧＰＳユニット３０７を備える。
【００２３】
なお、記憶装置３０１内には、本実施形態のキャッシュレス代引き決済システム１０における配送員端末３００として必要な機能を実装する為のプログラム３０２に加えて、上述のオンラインショッピングサービスでの注文主による代引き注文に関する情報を管理するためのアプリ３１０が少なくとも記憶されている。なお、この配送員端末３００は、上述の注文主の代引き注文に関する処理が行われるに伴い、後述する、支払予約データ３２５や支払請求データ３２６を記憶装置３０１に格納することとなる（こうした処理等の詳細は後述）。
【００２４】
また、上述の通信装置３０６は、ネットワークインターフェイスと、ビーコン端末５００の無線信号を受信するための近接無線通信用のユニットとを含むものとする。
−−−データ構造例−−−
【００２５】
続いて、本実施形態のキャッシュレス代引き決済システム１０を構成する銀行システム４００や電子商取引システム６００等が用いるテーブル類について説明する。
【００２６】
図４に、本実施形態における取引管理テーブル４２５のデータ構成例を示す。この取引管理テーブル４２５は、銀行システム４００が保持するテーブルであり、ＡＴＭ２００にて処理した入金取引で注文主から受け付けた決済用資金に関する情報を格納したテーブルである。
【００２７】
そのデータ構造は、各入金取引を一意に特定する取引番号をキーとして、当該入金取引の日付、時刻、および金額と、ＯＴＰ１、ＯＴＰ２、受取人ＩＤ、および、ステータス、といったデータから成るレコードの集合体である。
【００２８】
このうちＯＴＰ１は、注文主によるＡＴＭ２００での決済用資金の投入を受けて、勘定系にて当該決済用資金を仮受金口座に入金したことに伴って生成したワンタイムパスワードである。また、ＯＴＰ２は、電子商取引システム６００にて明細テーブル６２６との整合性を確認出来たユーザ端末１００由来の支払予約データ（後述）と電子商取引システム６００の識別情報とを、取引管理テーブル４２５や受取人マスタテーブル４２６に適宜に照合してそれぞれ真正性や整合性を確認出来た場合に生成したワンタイムパスワードである。
【００２９】
また、受取人ＩＤは、上述の真正性を確認出来た識別情報である。また、ステータスは、上述のＡＴＭ２００での決済用資金の投入、支払予約、支払実行待、など、代引き注文に関して手順が順次実行されて現在至った状況に関して示すものである。
【００３０】
また図５に、本実施形態における受取人マスタテーブル４２６のデータ構成例を示す。この受取人マスタテーブル４２６は、銀行システム４００が、電子商取引システム６００（の運営者）に関して予め登録した情報を格納したテーブルである。この場合の電子商取引システム６００は、ＡＴＭ２００にて注文主から得て銀行側で管理している決済用資金を、代引き注文の代金として銀行システム４００から受け取る受取人、として管理されていることになる。
【００３１】
そのデータ構造は、電子商取引システム６００（の運営者）を一意に特定する受取人ＩＤをキーとして、当該受取人のＰＩＮ（Ｐｅｒｓｏｎａｌ  Ｉｄｅｎｔｉｆｉｃａｔｉｏｎ  Ｎｕｍｂｅｒ）、受取人名、当該受取人が銀行で保持する口座の店番、科目、口座番号、といったデータから成るレコードの集合体である。
【００３２】
また図６に、本実施形態における明細テーブル６２６のデータ構成例を示す。この明細テーブル６２６は、電子商取引システム６００が管理するテーブルであり、オンラインショッピングサービスを介して受け付けた各注文の情報を格納したテーブルである。
【００３３】
そのデータ構造は、各注文の注文主を一意に特定する顧客ＩＤをキーとして、明細番号、日付、時刻、金額、および、ＯＴＰ２、といったデータから成るレコードの集合体である。このうち、明細番号は、代引き注文を一意に特定する番号となる。また、ＯＴＰ２は、銀行システム４００から通知されるワンタイムパスワードである。この場合、銀行システム４００は、電子商取引システム６００にて明細テーブル６２６との整合性を確認出来たユーザ端末１００由来の支払予約データ（後述）と電子商取引システム６００の識別情報とを、取引管理テーブル４２５や受取人マスタテーブル４２６に適宜に照合してそれぞれ真正性や整合性を確認出来た場合に、このＯＴＰ２を生成する。
−−−フロー例１−−−
【００３４】
以下、本実施形態におけるキャッシュレス代引き決済方法の実際手順について図に基づき説明する。以下で説明するキャッシュレス代引き決済方法に対応する各種動作は、キャッシュレス代引き決済システム１０を成す各端末等がメモリ等に読み出して実行するプログラムによって実現される。そして、このプログラムは、以下に説明される各種の動作を行うためのコードから構成されている。
【００３５】
図７は、本実施形態におけるキャッシュレス代引き決済方法のフロー例１を示す図である。ここでは、注文主が、ユーザ端末１００のアプリ１１０を操作して、電子商取引シス
テム６００が提供するオンラインショッピングサービスにて、所定の商品をキャッシュレス代引き決済にて注文し、この決済用資金をＡＴＭ２００にて入金する流れに沿って、キャッシュレス代引き決済方法の説明を行う。
【００３６】
この場合、上述の注文主のユーザ端末１００は、アプリ１１０にて、注文主による商品選択と、商品代金の支払い方法の選択とを受け付けて、該当商品に関する発注情報を電子商取引システム６００に送信する（ｓ１００）。なお、この注文主が指定した支払い方法は、勿論、「キャッシュレス代引き決済」である。
【００３７】
一方、電子商取引システム６００は、上述の発注情報を受信して、これに関して、当該を一意に特定する明細番号を既存ルールに応じて生成し、当該明細番号と上述の発注情報の内容とを紐付けて明細テーブル６２６に格納する（ｓ１０１）。こうして明細テーブル６２６に格納された情報は、明細番号の他、発注情報が含む顧客ＩＤ（注文主を示すもの）、注文日時、および商品代金の金額、といった情報を含む。
【００３８】
アプリ１１０でのオンラインショッピングを行った上述の注文主は、そのユーザ端末１００を携行して、銀行システム４００を運営する銀行のＡＴＭ２００を訪れる。この場合、当該注文主は、該当銀行に対して予め所定の利用申請を届け出て、キャッシュレス代引き決済サービスの利用者として銀行システム４００に登録されているものとする。なお、該当銀行に口座を保有するか否かは問わないものとする。
【００３９】
上述のＡＴＭ２００は、訪れた注文主による操作を受け付けて、その本人認証を実行する（ｓ１０２）。この際、ＡＴＭ２００は、注文主の生年月日とその指静脈の読取りデータや、或いは顧客ＩＤとＰＩＮ、といった認証用情報を取得して、これを銀行システム４００の顧客管理システム等に送信して本人認証結果を取得する。
【００４０】
ＡＴＭ２００は、本人認証に成功した場合、上述の注文主から決済用資金の支払指示を受けて、現金投入口のシャッターを開き、現金投入を受け付ける（ｓ１０３）。また、ＡＴＭ２００は、キャッシュレス代引き決済の決済用資金の現金投入を受けた旨を、銀行システム４００に通知する（ｓ１０４）。この通知には、ＡＴＭ２００で決済用資金の現金投入を受けた日付、時刻、その金額、といった情報が含まれている。
【００４１】
一方、銀行システム４００は、上述の通知を受信し、決済用資金の投入金額について、勘定系にて管理する仮受金口座に入金処理を実行すると共に、取引番号およびＯＴＰ１を生成する（ｓ１０５）。取引番号およびＯＴＰ１については既に述べたとおりである。
【００４２】
また、銀行システム４００は、取引管理テーブル４２５に、ｓ１０５で生成した取引番号およびＯＴＰ１と、上述の通知が含む日付、時刻、および、金額の各情報と、ステータス「現金投入」と、を紐付けて格納し、このうち取引番号、金額、およびＯＴＰ１の情報を含む決済情報をＡＴＭ２００に返す（ｓ１０６）。この決済情報は、銀行システム４００の公開鍵で暗号化されているものとする。
【００４３】
他方、ＡＴＭ２００は、上述の（暗号化済みの）決済情報を受信し、これを所定のコード生成アルゴリズムに入力することで、二次元コードを生成し、当該二次元コードを画面表示させる（ｓ１０７）。
【００４４】
一方、上述の注文主は、ユーザ端末１００のアプリ１１０を操作して、自身によるオンラインショッピングの履歴から、今次のキャッシュレス代引き決済の対象とした注文の明細番号を選択した上で、ＡＴＭ２００で画面表示中の二次元コードに対する読み取り動作を行うものとする。
【００４５】
この場合、ユーザ端末１００は、上述の二次元コードの読取りで得た情報すなわち暗号化された決済情報に対し、アプリ１１０で注文主が選択した明細番号と、当該注文主の顧客ＩＤ（明細番号と対応付けてオンラインショッピング履歴で管理されている）とを紐づけて支払予約データとし、これを例えば電子商取引システム６００の公開鍵で暗号化した上で、当該電子商取引システム６００に送信する（ｓ１０８）。
【００４６】
続いて、電子商取引システム６００は、上述の暗号化された支払予約データを受信し、これを自身の秘密鍵で復号化して、顧客ＩＤおよび明細番号を得る（ｓ１０９）。この時、決済情報は復号化出来ない（銀行システム４００の公開鍵で暗号化されたものであるため）。但し、電子商取引システム６００は、銀行システム４００が提供する所定のＡＰＩを予め利用可能となっており、このＡＰＩにより、上述の「暗号化された決済情報」から決済用資金の金額については抽出出来るものとする（勿論、盗聴、改ざんのリスクを抑えるため、取引番号、ＯＴＰ１はＡＰＩによっても復号しないものとし、決済情報全体は暗号化されたままである）。
【００４７】
次に、電子商取引システム６００は、アプリ１１０を介してユーザ端末１００から受信した顧客ＩＤ、明細番号、および金額と、自身の明細テーブル６２６で保持している各レコードの顧客ＩＤ、明細番号、および金額との間で、突き合わせ確認を実行して、一致するレコードの存在をもって、上述の注文主による今次の注文内容と支払内容との紐付けが正しいことを確認する（ｓ１１０）。
【００４８】
また、電子商取引システム６００は、暗号化された決済情報（取引番号、ＯＴＰ１、金額）に、電子商取引システム６００の運営者を一意に特定する受取人ＩＤと受取人ＰＩＮ（いずれも銀行システム４００から予め付与され、記憶装置にて保持）を付加した上で、銀行システム４００の公開鍵で暗号化し、これを支払予約データとして銀行システム４００に送信する（ｓ１１１）。
一方、銀行システム４００は、上述の支払予約データを電子商取引システム６００から受信し、これを銀行システム４００の秘密鍵で復号化する（ｓ１１２）。
【００４９】
次に、銀行システム４００は、復号化した支払予約データが示す取引番号、ＯＴＰ１、および、金額と、取引管理テーブル４２５の各レコードの取引番号、ＯＴＰ１、および、金額との間で、突き合わせ確認を実行し、電子商取引システム６００が送信してきた支払予約データが正しいものか、該当レコードの存在をもって確認する（ｓ１１３）。
【００５０】
また、銀行システム４００は、上述の突き合わせ確認の結果、支払予約データが正しいものと判定したならば、ｓ１１２の復号化で得られる受取人ＩＤと受取人ＰＩＮについて、受取人マスタテーブル４２６で照合して認証し、この認証に成功したならば、支払先が、上述の電子商取引システム６００の運営者であると特定し、ＯＴＰ２を生成する（ｓ１１４）。
【００５１】
次に、銀行システム４００は、取引管理テーブル４２５の該当取引番号のＯＴＰ２、受取人ＩＤ、および、ステータスを更新し、上述の電子商取引システム６００に対して、支払予約済通知を送信する（ｓ１１５）。この支払予約済通知には、明細番号と上述のＯＴＰ２が少なくとも含まれる。なお、上述のステータスの更新内容は、「現金投入」を「支払予約」に更新するものとなる。
【００５２】
一方、電子商取引システム６００は、上述の支払予約済通知を受信し、明細テーブル６２５のレコードのうち該当明細番号のレコードにおけるＯＴＰ２を更新し（ｓ１１６）、当該フローは終了する。
−−−フロー例２−−−
【００５３】
次に、上述のキャッシュレス代引き決済を指定した注文により、対象商品が注文主のもとまで配送されることで生じる処理について図に基づき説明する。図８は、本実施形態におけるキャッシュレス代引き決済方法のフロー例２を示す図である。
【００５４】
ここで、電子商取引システム６００は、上述のフロー例１のｓ１１６に引き続き、支払予約済通知に応じた配送指示を、所定の配送員の配送員端末３００に送信しているものとする。この配送指示には、明細番号とＯＴＰ２が含まれている。
【００５５】
この場合の配送員は、上述の配送指示が示す明細番号に基づき、梱包済みの対象商品を倉庫等からピックアップし、これを輸送車両に積載して発送先住所に配送することとなる。また、当該配送員は、電子商取引システム６００から予め貸与されているビーコン端末５００を所持している。また、当該配送員は、その発送先住所に到着したならば、面前で対応中の注文主に対し、ユーザ端末１００でアプリ１１０を起動し、支払画面を表示するよう依頼する。一方、この配送員も配送員端末３００にてアプリ３１０を起動し、支払画面を表示させるものとする。
【００５６】
この時、ユーザ端末１００のアプリ１１０は、電子商取引システム６００から当該注文主による注文履歴たる明細一覧を取得するか、或いは、アプリ１１０自身が保持する明細一覧を取得し、これを入出力装置１０５に表示させ、注文主から今次の処理対象とする明細番号の選択と支払指示を受け付ける（ｓ２０１）。
【００５７】
他方、配送員端末３００のアプリ３１０は、電子商取引システム６００から上述の注文主による注文履歴たる明細一覧を取得するか、或いは、アプリ３１０自身が保持する明細一覧を取得し、これを入出力装置３０５に表示させ、配送員から、今回配送してきた対象商品に応じた明細番号の選択と支払指示を受け付ける（ｓ２０２）。
【００５８】
この時、上述の配送員が所持しているビーコン端末５００は、所定の無線信号を発信しており、かつ、このビーコン端末５００とユーザ端末１００および配送員端末３００とは十分接近しており、ユーザ端末１００および配送員端末３００の近距離無線通信用のユニットにて、当該無線信号を補足できる状態にあるものとする
【００５９】
そこで、ユーザ端末１００および配送員端末３００は、それぞれ上述のビーコン端末５００が発信する無線信号を受信して、そのアプリ１１０、３１０により支払請求データを生成し、これを銀行システム４００に対して送信する（ｓ２０３、ｓ２０４）。
【００６０】
なお、ユーザ端末１００のアプリ１１０が生成する支払請求データは、暗号化された決済情報（取引番号、金額、ＯＴＰ１）、送信日時、位置情報（ＧＰＳユニット１０７から得たユーザ端末１００の現在位置情報）、アクション「支払」、の各データを含むもので、銀行システム４００の公開鍵で全体を暗号化したものとなる。ただし上述の位置情報は必須情報ではない。
【００６１】
また、配送員端末３００のアプリ３１０が生成する支払請求データは、暗号化された決済情報（取引番号、金額、ＯＴＰ１）、送信日時、位置情報（ＧＰＳユニット３０７から得た配送員端末３００の現在位置情報）、アクション「支払」、の各データを含むもので、銀行システム４００の公開鍵で全体を暗号化したものとなる。ただし上述の位置情報は必須情報ではない。
【００６２】
一方、銀行システム４００は、当該銀行の秘密鍵で、ユーザ端末１００および配送員端
末３００からそれぞれ受信した支払請求データを復号化する（ｓ２０５）。
【００６３】
また、銀行システム４００は、ｓ２０５の復号化で得た取引番号をキーにして、ユーザ端末１００および配送員端末３００のそれぞれから受信した支払請求データを紐づけて、記憶装置にて保持する（ｓ２０６）。なお、銀行システム４００は、ユーザ端末１００および配送員端末３００のどちらかから支払請求データを未受信であった場合、受信出来るまで所定時間待機するものとする。
【００６４】
続いて、銀行システム４００は、ユーザ端末１００から受信した支払請求データの示す、取引番号、送信日時、および位置情報と、配送員端末３００から受信した支払請求データの示す、取引番号、送信日時、および、位置情報とをそれぞれ照合して、取引番号が同一で、かつ、送信日時が同一かごく小さい微差しか無く、かつ、位置情報が同一かごく小さい微差しか無いこと、すなわち、注文主と配送員とがごく近距離に同時刻で所在することをもって、代引き処理を実行中あることを確認する（ｓ２０７）。
【００６５】
また、銀行システム４００は、ユーザ端末１００から受信した支払請求データの示す取引番号、金額、および、ＯＴＰ１と、取引管理テーブル４２５の各レコードにおける取引番号、金額、および、ＯＴＰ１との間で、突き合わせ確認を実行し、一致するレコードの存在をもって、上述の注文主が正しいデータを送信している正しい支払者であることを確認する（ｓ２０８）。
【００６６】
続いて、銀行システム４００は、配送員端末３００から受信した支払請求データの取引番号、金額、ＯＴＰ１、および、ＯＴＰ２と、取引管理テーブル４２５の各レコードにおける取引番号、金額、ＯＴＰ１、および、ＯＴＰ２との間で、突き合わせ確認を実行し、一致するレコードの存在をもって、上述の配送員が正しいデータを送信しており、この配送員が所属する電子商取引システム６００（の運営者）が正しい支払先であることを確認する（ｓ２０９）。
【００６７】
こうして銀行システム４００は、上述のｓ２０７〜ｓ２０９の各処理により、正しい支払者と支払先の間でのキャッシュレス代引き決済であることを確認し、取引管理テーブル４２５の該当取引番号のレコードにおいて、日付、時刻、および、ステータスの更新を実行する（ｓ２１０）。なお、ステータスは、この更新にて「支払予約」から「支払実行待」と更新される。
また、銀行システム４００は、上述のユーザ端末１００および配送員端末３００に対し、支払実行待ちにステータス更新された旨を通知する（ｓ２１１）。
【００６８】
銀行システム４００は、上述の通知を実行して所定の期間（例：クーリングオフ期間である７日間。勿論これに限定しない）、該当注文主からの返品要求がなければ、バッチ処理により、取引管理テーブル４２５にて該当レコード（いずれも、ステータスは「支払実行待」となっている）を抽出し、当該レコードが示す受取人ＩＤをキーに、受取人マスタテーブル４２６で当該受取人の口座に関する情報（店番、科目、口座番号）を取得し、この口座宛に、上述の該当レコードが示す金額の入金処理を依頼する、決済実行要求を勘定系に指示する（ｓ２１２）。
【００６９】
なお、銀行システム４００は、この処理に際し、該当レコードにおけるステータスを「支払実行待」から「完了（支払）」に更新するものとする。また、勘定系では、上述の決済実行要求を受けて、仮受金口座から、電子商取引システム６００の運営者の口座へ入金処理を実行することとなる。
−−−フロー例３−−−
【００７０】
次に、上述のごとく配送された商品について返品要求があった場合に対処する処理について図に基づき説明する。図９は、本実施形態におけるキャッシュレス代引き決済方法のフロー例３を示す図である。この場合の注文主は、電子商取引システム６００に対して返品要求を行うため、ユーザ端末１００でアプリ１１０を起動し、当該アプリ１１０で該当商品の明細番号を確認し、当該明細番号を指定して返品要求ボタンを押すものとする。
【００７１】
ユーザ端末１００は、この返品要求ボタンの押下を受けて、上述の明細番号および商品回収先住所の情報を含む返品要求を、電子商取引システム６００に送信する（ｓ３００）。
【００７２】
一方、電子商取引システム６００は、上述の返品要求を受信し、これに応じて所定の配送員の配送員端末３００に、当該明細番号およびＯＴＰ２（明細テーブル６２６から取得）と商品回収先住所の情報とを含む、商品回収指示を通知する（ｓ３０１）。
【００７３】
この商品回収指示を認識した配送員は、当該商品回収先住所に赴いて、対象商品の回収業務を行うこととなる。また、当該配送員は、電子商取引システム６００から予め貸与されているビーコン端末５００を所持している。
【００７４】
この配送員は、商品回収先住所に到着したならば、面前で対応中の返品要求者すなわち過去の注文主に対し、ユーザ端末１００でアプリ１１０を起動し、返品画面を表示するよう依頼する。一方、この配送員も配送員端末３００にてアプリ３１０を起動し、返品画面を表示させるものとする。
【００７５】
この時、ユーザ端末１００のアプリ１１０は、電子商取引システム６００から当該返品要求者すなわち過去の注文主による注文履歴たる明細一覧を取得するか、或いは、アプリ１１０自身が保持する明細一覧を取得し、これを入出力装置１０５に表示させ、返品要求者から今次の返品対象とする明細番号の選択と返品指示を受け付ける（ｓ３０２）。
【００７６】
他方、配送員端末３００のアプリ３１０は、電子商取引システム６００から上述の返品要求者すなわち過去の注文主による注文履歴たる明細一覧を取得するか、或いは、アプリ３１０自身が保持する明細一覧を取得し、これを入出力装置３０５に表示させ、配送員から、今回の返品対象とする対象商品に応じた明細番号の選択と返品指示を受け付ける（ｓ３０３）。
【００７７】
この時、上述の配送員が所持しているビーコン端末５００は、所定の無線信号を発信しており、かつ、このビーコン端末５００とユーザ端末１００および配送員端末３００とは十分接近しており、ユーザ端末１００および配送員端末３００の近距離無線通信用のユニットにて、当該無線信号を補足できる状態にあるものとする
【００７８】
そこで、ユーザ端末１００および配送員端末３００は、それぞれ上述のビーコン端末５００が発信する無線信号を受信して、そのアプリ１１０、３１０により支払キャンセルデータを生成し、これを銀行システム４００に対して送信する（ｓ３０４、ｓ３０５）。
【００７９】
なお、ユーザ端末１００のアプリ１１０が生成する支払キャンセルデータは、暗号化された決済情報（取引番号、金額、ＯＴＰ１）、送信日時、位置情報（ＧＰＳユニット１０７から得たユーザ端末１００の現在位置情報）、アクション「返品」、の各データを含むもので、銀行システム４００の公開鍵で全体を暗号化したものとなる。ただし上述の位置情報は必須情報ではない。
【００８０】
また、配送員端末３００のアプリ３１０が生成する支払キャンセルデータは、暗号化さ
れた決済情報（取引番号、金額、ＯＴＰ１）、送信日時、位置情報（ＧＰＳユニット３０７から得た配送員端末３００の現在位置情報）、アクション「返品」、の各データを含むもので、銀行システム４００の公開鍵で全体を暗号化したものとなる。ただし上述の位置情報は必須情報ではない。
【００８１】
一方、銀行システム４００は、当該銀行の秘密鍵で、ユーザ端末１００および配送員端末３００からそれぞれ受信した支払キャンセルデータを復号化する（ｓ３０６）。
【００８２】
また、銀行システム４００は、ｓ３０６の復号化で得た取引番号をキーにして、ユーザ端末１００および配送員端末３００のそれぞれから受信した支払キャンセルデータを紐づけて、記憶装置にて保持する（ｓ３０７）。なお、銀行システム４００は、ユーザ端末１００および配送員端末３００のどちらかから支払キャンセルデータを未受信であった場合、受信出来るまで所定時間待機するものとする。
【００８３】
続いて、銀行システム４００は、ユーザ端末１００から受信した支払キャンセルデータの示す、取引番号、送信日時、および位置情報と、配送員端末３００から受信した支払キャンセルデータの示す、取引番号、送信日時、および、位置情報とをそれぞれ照合して、取引番号が同一で、かつ、送信日時が同一かごく小さい微差しか無く、かつ、位置情報が同一かごく小さい微差しか無いこと、すなわち、返品要求者と配送員とがごく近距離に同時刻で所在することをもって、返品処理を実行中あることを確認する（ｓ３０８）。
【００８４】
また、銀行システム４００は、ユーザ端末１００から受信した支払キャンセルデータの示す取引番号、金額、および、ＯＴＰ１と、取引管理テーブル４２５の各レコードにおける取引番号、金額、および、ＯＴＰ１との間で、突き合わせ確認を実行し、一致するレコードの存在をもって、上述の返品要求者が正しいデータを送信している正しい返品要求者であることを確認する（ｓ３０９）。
【００８５】
続いて、銀行システム４００は、配送員端末３００から受信した支払キャンセルデータの取引番号、金額、ＯＴＰ１、および、ＯＴＰ２と、取引管理テーブル４２５の各レコードにおける取引番号、金額、ＯＴＰ１、および、ＯＴＰ２との間で、突き合わせ確認を実行し、一致するレコードの存在をもって、上述の配送員が正しいデータを送信しており、この配送員が所属する電子商取引システム６００（の運営者）が正しい返品先であることを確認する（ｓ３１０）。
【００８６】
こうして銀行システム４００は、上述のｓ３０８〜ｓ３１０の各処理により、正しい返品要求者と返品先との間での返品処理であることを確認し、取引管理テーブル４２５の該当取引番号のレコードにおいて、日付、時刻、および、ステータスの更新を実行する（ｓ３１１）。なお、ステータスは、この更新にて「支払実行待」から「支払キャンセル待」と更新される。
【００８７】
また、銀行システム４００は、上述のユーザ端末１００および配送員端末３００に対し、支払キャンセル待ちにステータス更新された旨を通知する（ｓ３１２）。
【００８８】
一方、上述の通知を認識した返品要求者は、返品に伴う返金を受けるため銀行を訪問し、ユーザ端末１００のアプリ１１０の返金画面にて、該当明細番号に関して返金ボタンを押下することで、当該明細番号に紐付く金額を返金額として指定する二次元コードを生成、表示させる。また、上述の返品要求者は、ユーザ端末１００で表示させている二次元コードを、例えば、ＡＴＭ２００のリーダ装置で読み取らせる。
【００８９】
このＡＴＭ２００は、二次元コードの読取り処理を実行して明細番号および返金額の情
報を取得し、当該明細番号に紐付く取引番号に関して、仮受金口座で保持する決済用資金の返金処理を勘定系に要求すると共に、当該返金額に対応する現金を現金排出口から排出し（ｓ３１３）、当該フローを終了する。
【００９０】
以上、本発明を実施するための最良の形態などについて具体的に説明したが、本発明はこれに限定されるものではなく、その要旨を逸脱しない範囲で種々変更可能である。
【００９１】
こうした本実施形態によれば、商品の購入者らは、代引き決済の手続に際して現金の用意は不要となり、かつ、クレジットカードを使用することもないため、決済資金の用意の手間やクレジットカード使用時の各種問題もあわせて回避出来る。また、決済情報と注文情報とが確実に紐付けされることにより、支払ミス等も抑止出来ることとなる。他方、配送員やネットショップ側では、現金のハンドリングが不要となる上、代金が確保されてから配送に着手できるなど、該当業務に関する無駄を省き、負荷軽減が適宜に図られる効果もある。
すなわち、関係者における過度な負荷を回避しつつ、効率的で確実な代引き決済の手続が可能となる。
【００９２】
本明細書の記載により、少なくとも次のことが明らかにされる。すなわち、本実施形態のキャッシュレス代引き決済方法において、前記ユーザ端末および前記配送員端末のそれぞれが、前記配送員の保持する装置または前記配送員端末のいずれかが発信する所定の無線信号を受信したことに伴い、各々保持する前記代引き注文に関する所定情報を銀行システムに送信する、としてもよい。
【００９３】
これによれば、代引き注文の対象商品の配送に向かう配送員が、予め定めた無線信号を発信するビーコン端末等を携行する運用を踏まえ、当該配送員が注文主の居宅等に到着し、当該注文主と対面している状況、すなわち代引き決済の手続を行う状況を的確かつ手間無く担保することが出来る。ひいては、関係者における過度な負荷を回避しつつ、より効率的で確実な代引き決済の手続が可能となる。
【００９４】
また、本実施形態のキャッシュレス代引き決済方法において、前記銀行システムが、前記確認に際し、前記所定情報各々に含まれる位置情報の間の近接性、に関する確認を更に行うとしてもよい。
【００９５】
これによれば、配送員が注文主の居宅等に到着し、当該注文主と実際に対面している状況、すなわち代引き決済の手続を行う状況を的確かつ手間無く担保することが出来る。ひいては、関係者における過度な負荷を回避しつつ、より効率的で確実な代引き決済の手続が可能となる。
【００９６】
また、本実施形態のキャッシュレス代引き決済方法において、前記銀行システムが、前記注文主により前記代引き注文の決済用資金がＡＴＭにて入金されたことを受けて、当該入金の内容を示す決済情報を記憶装置に格納し、当該決済情報をコード化してＡＴＭにて画面表示させ、前記注文主のユーザ端末が、前記画面表示されている前記コードの読み取り処理を介して前記決済情報を取得し、当該決済情報に前記代引き注文の注文情報を紐づけて支払予約データとして記憶装置に格納し、当該支払予約データを前記代引き注文の発注先たる電子商取引システムに送信し、前記電子商取引システムが、前記代引き注文の受注に伴って既に保持している当該代引き注文の取引明細情報と、前記支払予約データにおける前記注文情報および前記決済情報とを照合し、所定項目の情報が互いに一致した場合、前記決済情報と前記注文情報との紐付けの妥当性を認定して、本電子商取引システムに関する識別情報を前記決済情報に紐付けて支払予約データとして前記銀行システムに送信し、前記銀行システムが、前記電子商取引システムから得た前記支払予約データの含む前
記決済情報と、当該代引き注文に関して既に記憶装置にて保持している決済情報との照合処理、および、前記支払予約データの含む識別情報に基づく前記電子商取引システムに関する所定の認証処理、をそれぞれ実行し、前記照合処理および前記認証処理の結果が所定内容であった場合、前記代引き注文に関して必要な決済用資金が銀行側で確かに確保された旨を示す支払予約済通知を、前記電子商取引システムに送信し、前記電子商取引システムが、前記支払予約済通知を前記銀行システムから受信したことに応じて、当該代引き注文の対象商品の配送指示を、配送員端末に送信する、としてもよい。
【００９７】
これによれば、銀行システム側で管理する決済情報と、電子商取引システム側で管理する注文情報とを齟齬無く確実に結びつけて、また、当該代引き注文に関する、支払元、支払先、金額等の情報の真正性も担保することが可能となる。ひいては、関係者における過度な負荷を回避しつつ、より効率的でより確実な代引き決済の手続が可能となる。
【００９８】
また、本実施形態のキャッシュレス代引き決済方法において、前記対象商品の返品を希望する前記注文主のユーザ端末および当該対象商品の引き取りに向かった配送員が保持する配送員端末のそれぞれが、当該対象商品の引き取り場所にて所定装置から発信されている所定の無線信号を受信したことに伴い、各々保持する代引き注文に関する所定情報のうち前記対象商品に関するものを、支払キャンセルデータとして銀行システムに送信し、前記銀行システムが、前記支払キャンセルデータの示す事柄の真正性、前記支払キャンセルデータの間の整合性、および、前記支払キャンセルデータ各々の送信時刻の間の近接性、に関する確認を所定アルゴリズムで行い、当該確認に成功した場合、当該対象商品の代引き注文に関して前記注文主より予め預かっている決済用資金に基づいて所定の返金処理を実行する、としてもよい。
【００９９】
これによれば、代引き注文で配送された対象商品に関して返品手続がなされる状況にも対応して、関係者における過度な負荷を回避しつつ、より効率的で確実な代引き決済の手続が可能となる。
【０１００】
また、本実施形態のキャッシュレス代引き決済システムにおいて、前記ユーザ端末および前記配送員端末のそれぞれは、前記配送員の保持する装置または前記配送員端末のいずれかが発信する所定の無線信号を受信したことに伴い、各々保持する前記代引き注文に関する所定情報を銀行システムに送信するものである、としてもよい。
【０１０１】
また、本実施形態のキャッシュレス代引き決済システムにおいて、前記銀行システムは、前記確認に際し、前記所定情報各々に含まれる位置情報の間の近接性、に関する確認を更に行うものであるとしてもよい。
【０１０２】
また、本実施形態のキャッシュレス代引き決済システムにおいて、前記銀行システムは、前記注文主により前記代引き注文の決済用資金がＡＴＭにて入金されたことを受けて、当該入金の内容を示す決済情報を記憶装置に格納し、当該決済情報をコード化してＡＴＭにて画面表示させるものであり、前記注文主のユーザ端末は、前記画面表示されている前記コードの読み取り処理を介して前記決済情報を取得し、当該決済情報に前記代引き注文の注文情報を紐づけて支払予約データとして記憶装置に格納し、当該支払予約データを前記代引き注文の発注先たる電子商取引システムに送信するものであり、前記電子商取引システムは、前記代引き注文の受注に伴って既に保持している当該代引き注文の取引明細情報と、前記支払予約データにおける前記注文情報および前記決済情報とを照合し、所定項目の情報が互いに一致した場合、前記決済情報と前記注文情報との紐付けの妥当性を認定して、本電子商取引システムに関する識別情報を前記決済情報に紐付けて支払予約データとして前記銀行システムに送信するものであり、前記銀行システムは、前記電子商取引システムから得た前記支払予約データの含む前記決済情報と、当該代引き注文に関して既に
記憶装置にて保持している決済情報との照合処理、および、前記支払予約データの含む識別情報に基づく前記電子商取引システムに関する所定の認証処理、をそれぞれ実行し、前記照合処理および前記認証処理の結果が所定内容であった場合、前記代引き注文に関して必要な決済用資金が銀行側で確かに確保された旨を示す支払予約済通知を、前記電子商取引システムに送信するものであり、前記電子商取引システムは、前記支払予約済通知を前記銀行システムから受信したことに応じて、当該代引き注文の対象商品の配送指示を、配送員端末に送信するものである、としてもよい。
【０１０３】
本実施形態のキャッシュレス代引き決済システムにおいて、前記対象商品の返品を希望する前記注文主のユーザ端末および当該対象商品の引き取りに向かった配送員が保持する配送員端末のそれぞれは、当該対象商品の引き取り場所にて所定装置から発信されている所定の無線信号を受信したことに伴い、各々保持する代引き注文に関する所定情報のうち前記対象商品に関するものを、支払キャンセルデータとして銀行システムに送信するものであり、前記銀行システムは、前記支払キャンセルデータの示す事柄の真正性、前記支払キャンセルデータの間の整合性、および、前記支払キャンセルデータ各々の送信時刻の間の近接性、に関する確認を所定アルゴリズムで行い、当該確認に成功した場合、当該対象商品の代引き注文に関して前記注文主より予め預かっている決済用資金に基づいて所定の返金処理を実行するものである、としてもよい。
【符号の説明】
【０１０４】
１、２  ネットワーク
１０    キャッシュレス代引き決済システム
１００  ユーザ端末
１０１  記憶装置
１０２  プログラム
１０３  メモリ
１０４  演算装置
１０５  入出力装置
１０６  通信装置
１０７  ＧＰＳユニット
１１０  アプリ
１２５  支払予約データ
１２６  支払請求データ
２００  ＡＴＭ
３００  配送員端末
３０１  記憶装置
３０２  プログラム
３０３  メモリ
３０４  演算装置
３０５  入出力装置
３０６  通信装置
３０７  ＧＰＳユニット
３１０  アプリ
３２５  支払予約データ
３２６  支払請求データ
４００  銀行システム
４２５  取引管理テーブル
４２６  受取人マスタテーブル
５００  ビーコン端末
６００  電子商取引システム
６２５  支払予約データ
６２６  明細テーブル
【図１】
2018206215.tif 000003
【図２】
2018206215.tif 000004
【図３】
2018206215.tif 000005
【図４】
2018206215.tif 000006
【図５】
2018206215.tif 000007
【図６】
2018206215.tif 000008
【図７】
2018206215.tif 000009
【図８】
2018206215.tif 000010
【図９】
2018206215.tif 000011